(57)【要約】【課題】機能モジュールを所望の取付位置までスライド移動させて使用することができる配線システムを提供する。【解決手段】配線モジュール１は、電力路および情報路を構成する導電体５ａ，５ｂと、導電体５ａ，５ｂが並行に配設されて造営面に取着される配線モジュール本体２を備える。接続モジュール２０は、配線モジュール本体２に対して着脱自在に取り付けられるとともに、導電体５ａ，５ｂに電気的に接続される栓刃２５ａ，２５ｂを器体２１に備えている。器体２１前面には所望の機能を有する機能モジュール３０ａが取り付けられ、機能モジュール３０ａは接続モジュール２０を介して電力の受給および情報信号の授受を行う。また接続モジュール２０は、配線モジュール本体２内部の隔壁７に当接する駆動輪２２ａを有し、駆動輪２２ａをモータ４１で回転させることによって、器体２１を導電体５ａ，５ｂの長手方向においてスライド移動させることができる。【選択図】図１
2008251503.tif 000002
【特許請求の範囲】
【請求項１】
電力を供給するための電力路および情報信号を伝送する情報路を構成する複数の導電体、および、複数の導電体が並行に配設されて造営面に取着される配線モジュール本体を具備した配線モジュールと、前記配線モジュール本体に対して着脱自在に取り付けられるとともに、複数の導電体に電気的に接続される接続手段を接続モジュール本体に備え、前記接続手段を介して電力の受給および情報信号の授受を行う接続モジュールと、前記接続モジュール本体に取り付けられて所望の機能を実現する機能モジュールとを備えるとともに、前記情報路から受信した情報信号により前記導電体の長手方向において前記接続モジュール本体の取付位置を調整する位置調整手段を前記接続モジュールに設けたことを特徴とする配線システム。
【請求項２】
前記電力路は、直流の弱電流電気を供給するための電路からなることを特徴とする請求項１記載の配線システム。
【請求項３】
前記位置調整手段は、移動量を含む指令値が入力されると、指令値に含まれる移動量だけ前記接続モジュール本体を前記導電体の長手方向に沿ってスライド移動させる移動手段からなることを特徴とする請求項１又は２記載の配線システム。
【請求項４】
前記位置調整手段は、目標位置を含む指令値が入力されると、指令値に含まれる目標位置まで前記接続モジュール本体を前記導電体の長手方向に沿ってスライド移動させる移動手段からなることを特徴とする請求項１又は２記載の配線システム。
【請求項５】
前記導電体の長手方向において前記接続モジュール本体の現在位置を検出する位置検出手段と、当該位置検出手段の検出した現在位置と目標位置とを比較し、現在位置が目標位置に一致するように接続モジュール本体を移動させるための指令値を移動手段に出力する位置制御手段とを具備したことを特徴とする請求項４記載の配線システム。
【請求項６】
前記導電体の長手方向において前記接続モジュール本体の現在位置を検出する位置検出手段と、当該位置検出手段の検出した現在位置と目標位置とを比較し、現在位置が目標位置に一致するように指令値を移動手段に与える位置制御手段とを接続モジュールに設けたことを特徴とする請求項４記載の配線システム。
【請求項７】
前記接続モジュール本体に、前記機能モジュールが取り付けられる取付部と、前記導電体の長手方向と交差する平面内で前記取付部を揺動させる揺動手段とを設けたことを特徴とする請求項１乃至６の何れか１項に記載の配線システム。
【発明の詳細な説明】
【技術分野】
【０００１】
本発明は、配線システムに関するものである。
【背景技術】
【０００２】
従来、商用交流電力を供給するための導電体を長手方向に収容した電源スペースを備え、前面側に電源スペースと外部とを連通する連通孔が長手方向の全体に亘って形成された配線ダクトと、栓刃を電源スペースに臨ませるようにして配線ダクトに取り付けられ、栓刃を導電体に接触させることで、給電されるコンセントブロックとで構成される配線システムが提供されている（例えば特許文献１参照）。
【特許文献１】特開昭６３−１３３４７４号公報
【発明の開示】
【発明が解決しようとする課題】
【０００３】
上述の配線システムでは、導電体が商用交流電源の電力路となっているため、導電体を露出した状態で施工することができず、したがってコンセントブロックを配線ダクトの所望の位置に取り付けた後に、連通孔の開口部分にカバーを取り付けて、連通孔を塞ぐ必要があった。そのため、コンセントブロックの位置を変更したい場合、取付位置によって連通孔の開口部分の大きさが変わるため、変更後の取付位置に合わせてカバーを用意する必要があり、コンセントブロックの取付位置の変更に容易に対応することができなかった。したがって、コンセントブロックを所望の取付位置までスライド移動させて、任意の取付位置で使用することができず、所望の場所で所望の機能を実現することができなかった。
【０００４】
本発明は上記問題点に鑑みて為されたものであり、その目的とするところは、機能モジュールを所望の取付位置までスライド移動させて使用することができる配線システムを提供することにある。
【課題を解決するための手段】
【０００５】
上記目的を達成するために、請求項１の発明は、電力を供給するための電力路および情報信号を伝送する情報路を構成する複数の導電体、および、複数の導電体が並行に配設されて造営面に取着される配線モジュール本体を具備した配線モジュールと、配線モジュール本体に対して着脱自在に取り付けられるとともに、複数の導電体に電気的に接続される接続手段を接続モジュール本体に備え、接続手段を介して電力の受給および情報信号の授受を行う接続モジュールと、接続モジュール本体に取り付けられて所望の機能を実現する機能モジュールとを備えるとともに、情報路から受信した情報信号により導電体の長手方向において接続モジュール本体の取付位置を調整する位置調整手段を接続モジュールに設けたことを特徴とする。
【０００６】
請求項２の発明は、請求項１の発明において、電力路は、直流の弱電流電気を供給するための電路からなることを特徴とする。
【０００７】
請求項３の発明は、請求項１又は２の発明において、位置調整手段は、移動量を含む指令値が入力されると、指令値に含まれる移動量だけ接続モジュール本体を導電体の長手方向に沿ってスライド移動させる移動手段からなることを特徴とする。
【０００８】
請求項４の発明は、請求項１又は２の発明において、位置調整手段は、目標位置を含む指令値が入力されると、指令値に含まれる目標位置まで接続モジュール本体を導電体の長手方向に沿ってスライド移動させる移動手段からなることを特徴とする。
【０００９】
請求項５の発明は、請求項４の発明において、導電体の長手方向において接続モジュール本体の現在位置を検出する位置検出手段と、当該位置検出手段の検出した現在位置と目標位置とを比較し、現在位置が目標位置に一致するように接続モジュール本体を移動させるための指令値を移動手段に出力する位置制御手段とを具備したことを特徴とする。
【００１０】
請求項６の発明は、請求項４の発明において、導電体の長手方向において接続モジュール本体の現在位置を検出する位置検出手段と、当該位置検出手段の検出した現在位置と目標位置とを比較し、現在位置が目標位置に一致するように指令値を移動手段に与える位置制御手段とを接続モジュールに設けたことを特徴とする。
【００１１】
請求項７の発明は、請求項１乃至６の発明において、接続モジュール本体に、機能モジュールが取り付けられる取付部と、導電体の長手方向と交差する平面内で取付部を揺動させる揺動手段とを設けたことを特徴とする。
【発明の効果】
【００１２】
請求項１の発明によれば、位置調整手段により接続モジュールの取付位置を調整することによって、導電体の長手方向において機能モジュールの位置を自由に設定でき、所望の場所で所望の機能を実現することができる。
【００１３】
請求項２の発明によれば、電力路を構成する電路を覆う部材を設ける必要がないので、接続モジュールの位置を自由に移動させることできるという効果がある。
【００１４】
請求項３の発明によれば、移動手段が指令値に含まれる移動量だけ接続モジュール本体をスライド移動させることで、機能モジュールを所望の移動量だけ移動させて使用することができる。
【００１５】
請求項４の発明によれば、移動手段が指令値に含まれる目標位置まで接続モジュール本体をスライド移動させることで、機能モジュールを所望の位置に移動させて使用することができる。
【００１６】
請求項５の発明によれば、位置制御手段では、位置検出手段の検出した現在位置が目標位置に一致するように指令値を移動手段に出力しているので、外部の位置制御手段により接続モジュールを所望の目標位置に移動させることができる。
【００１７】
請求項６の発明によれば、接続モジュールに設けた位置制御手段は、位置検出手段の検出した現在位置が目標位置に一致するように指令値を移動手段に出力しているので、接続モジュールを所望の目標位置に自動的に移動させることができる。
【００１８】
請求項７の発明によれば、揺動手段が取付部を揺動させることによって、機能モジュールの向きを導電体の長手方向と交差する平面内で変化させることができる。したがって、位置調整手段により接続モジュール本体すなわち機能モジュールの取付位置を導電体の長手方向において調整するとともに、機能モジュールの向きを変化させることで、所望の取付位置および取付方向に機能モジュールを配置して、機能モジュールの機能を実現させることができる。
【発明を実施するための最良の形態】
【００１９】
以下に本発明の実施の形態を図面に基づいて説明する。
【００２０】
（実施形態１）
本発明の実施形態１を図１〜図８に基づいて説明する。尚、以下の説明では特に断りが無いかぎり、図１（ａ）に示す向きにおいて上下左右の方向を規定し、図１（ａ）中の正面を前面として説明を行う。したがって、図１（ｂ）中の左端は後端となる。
【００２１】
図６は本実施形態の配線システムの概略的なシステム図であり、例えば建物の壁面のような造営面に配設される配線モジュール１と、商用交流電力を低圧電力に変換して配線モジュール１が備える導電体に供給する電源ブロック１０と、配線モジュール１に対して着脱自在に取り付けられる接続モジュール２０と、接続モジュール２０に取り付けられて所望の機能を実現する機能モジュール３０（３０ａ，３０ｂ…）とを主要な構成として備えている。本実施形態では機能モジュール３０として、ＬＥＤを光源に用いる照明型の機能モジュール３０ａと、焦電型の赤外線検出素子からなる人体検知センサを有するセンサ型の機能モジュール３０ｂとを用いており、機能モジュール３０ａ，３０ｂに共通した説明を行うときは機能モジュール３０と表記し、個々の機能モジュール３０ａ，３０ｂに関する説明を行うときは機能モジュール３０ａ又は３０ｂと表記する。尚、機能モジュール３０を照明型の機能モジュール３０ａや人感センサ型の機能モジュール３０ｂに限定する趣旨のものではなく、明るさセンサなどの他のセンサ機能を有するものや、ＣＣＤカメラのようなカメラ機能を有するものや、スピーカや内線通話の機能を有するものでも良い。
【００２２】
配線モジュール１は、図１及び図２に示すようにアルミニウムなどの金属により両端が開口した扁平な角筒状に形成され、表面が絶縁性の合成樹脂でコーティングされた配線モジュール本体２を備えている。配線モジュール本体２における造営面への取付面と反対側の面には、上下方向の略中間部に、内部の電源スペース３と外部とを連通する連通孔４が長手方向に沿って開口している。また配線モジュール本体２の電源スペース３には、連通孔４を間にして上下両側に、低圧電力を供給する低圧電力路および情報信号を伝送する情報路を構成する長尺の導電体５ａ，５ｂが長手方向に沿って配置されている。また、導電体５ａ，５ｂの前側寄りには配線モジュール本体２の長手方向に沿って延びる隔壁７，７が上下両側に突設されており、これらの隔壁７，７によって接続モジュール２０がスライド移動するための軌道が構成される。なお、配線モジュール本体２において、電源ブロック１０が接続される側と反対側の端部にはエンドキャップ６が取着されている。
【００２３】
電源ブロック１０の器体１１（電源ブロック本体）は、上下方向および左右方向の寸法が配線モジュール１の配線モジュール本体２と略同じ寸法に形成されている。器体１１において配線モジュール本体２に連結される側の端部には、先端に配線モジュール本体２の被係止凹部（図示せず）と係止する爪１５ａを有する連結爪片１５（連結手段）が上下方向において移動自在に取り付けられている。器体１１の上側部に配置された連結爪片１５は、器体１１の上面に設けた貫通孔（図示せず）を通して操作部１５ｂが上側に突出しており、図示しない付勢ばねによって上向きに付勢されている。同様に、器体１１の下側部に配置された連結爪片１５は、器体１１の下面に設けた貫通孔（図示せず）を通して操作部１５ｂが下側に突出しており、図示しない付勢ばねによって下向きに付勢されている。また、器体１１において配線モジュール本体２に連結される側と反対側の端部からは、先端に差込プラグ１２を有する電源コード１３が導出されており、電源コード１３を本システムの設置場所に設けた電源コンセントに差し込むことによって、器体１１の内部に収納した電力変換部１４に交流電源が供給されるのである。
【００２４】
一方、接続モジュール２０の器体２１（モジュール本体）は、図１及び図２に示すように背面が開口した横長の箱状の前カバー２１ａと、前カバー２１ａの背面に取着される後カバー２１ｂとで構成されている。器体２１の背部には、連通孔４を通して配線モジュール本体２の内部に挿入される筒状の回転体２３が回転自在に設けられており、回転体２３を回転させるための摘み２４が前カバー２１ａの前面に配置されている。回転体２３の周面には、回転体２３の中心部を挟んで対称な位置に一対の栓刃２５ａ，２５ｂ（接続手段）が突設されており、摘み２４の回転操作に応じて一対の栓刃２５ａ，２５ｂが水平方向（配線モジュール本体２の長手方向と略平行な方向）に並ぶ状態と、栓刃２５ａを上側、栓刃２５ｂを下側にして垂直方向（配線モジュール本体２の短幅方向と略平行な方向と）に並ぶ状態とを選択できるようになっている。また回転体２３の周面には、各栓刃２５ａ，２５ｂの突設位置よりも前方寄りの位置に係止片２６，２６がそれぞれ突設されている。さらに、回転体２３の周面には、配線モジュール１に取り付けた状態で、配線モジュール本体２の一方（例えば上側）の隔壁７に当接し、後述するモータ４１によって回転駆動される駆動輪２２ａと、他方（例えば下側）の隔壁７に当接する従動輪２２ｂとが回動自在に配置されている。尚、モータ４１の回転は減速機４２を介して駆動輪２２ａに伝達されるようになっている。
【００２５】
また、器体２１の前カバー２１ａの前面には略円弧状の栓刃挿入口２９ａ〜２９ｄが開口している（図５参照）。電源用の栓刃挿入口２９ａ，２９ｂは、一端側の溝幅が他端側の溝幅に比べて幅広に形成されており、同一の円周上で対角の位置に配置されている。また、信号用の栓刃挿入口２９ｃ，２９ｄは、溝幅がほぼ同じ寸法に設定されており、器体２１の内部には各栓刃挿入口２９ａ〜２９ｄを介して器体内部に挿入される栓刃を受ける刃受部材（図示せず）が収納されている。
【００２６】
機能モジュール３０の器体３１は扁平な直方体状であって、器体３１の裏面には、各栓刃挿入口２９ａ〜２９ｄに対応する部位に、栓刃挿入口２９ａ〜２９ｄ内に挿入されて刃受部材に電気的に接続される栓刃３２ａ〜３２ｄが突設されている。また器体３１の前面には対応する機能部が設けられており、照明型の機能モジュール３０ａでは、器体３１の前面に透光カバー３３が設けられ、透光カバー３３の内側にＬＥＤのような発光素子が収納されている。またセンサ型の機能モジュール３０ｂでは、器体３１の内部に焦電型の赤外線検出素子からなる人感センサ（図示せず）が収納されており、器体３１の前面には検知エリア内の人体から放射された熱線を人感センサに入射させるためのドーム状のレンズ３４が配置されている。
【００２７】
ここで、本配線システムを施工するに当たっては、先ず配線モジュール１の一端側から電源ブロック１０を挿入して、電源ブロック１０の連結爪片１５，１５を配線モジュール１の被係止凹部に係止させることによって、電源ブロック１０を配線モジュール１に連結する。このように、連結爪片１５を用いて電源ブロック１０の器体１１を配線モジュール本体２と連結することで、導電体５ａ，５ｂの長手方向に沿って電源ブロック１０の器体１１と配線モジュール本体２とを直列的に並べて配設することができる。そして、電源ブロック１０を配線モジュール１に連結した状態で、配線モジュール１及び電源ブロック１０を適宜の方法で壁材に固定するとともに、配線モジュール１の他端側にエンドキャップ６を取り付ける（図３及び図４参照）。
【００２８】
次に接続モジュール２０に所望の機能モジュール３０を接続する。すなわち、栓刃挿入口２９ａ〜２９ｄと栓刃３２ａ〜３２ｄの位置を合わせて、機能モジュール３０の器体３１を前側から接続モジュール２０の器体２１に近づけ、栓刃３２ａ，３２ｂを栓刃挿入口２９ａ，２９ｂの幅広部分に挿入するとともに、栓刃３２ｃ，３２ｄを栓刃挿入口２９ｃ，２９ｄに挿入した後、器体３１を図１中の時計回りに回転させて、栓刃３２ａ，３２ｂを栓刃挿入口２９ａ，２９ｂの幅狭部分に導入すると、栓刃３２ａ〜３２ｄが対応する刃受部材に電気的に接続されると共に、抜け止めが行われる。
【００２９】
そして、図２に示すように栓刃２５ａ，２５ｂおよび係止片２６，２６がそれぞれ水平方向に並ぶ位置まで回転体２３を回転させた状態で、接続モジュール２０を配線モジュール１の前面側から配線モジュール１に近づけて、回転体２３を連通孔４内に挿入した後、摘み２４を一方向に約９０度回転させると、摘み２４の回転操作に応じて、栓刃２５ａ，２５ｂが栓刃２５ａを上側にして上下方向に並び、且つ、係止片２６，２６が上下方向に並ぶ位置まで回転体２３が回転する。この時、係止片２６，２６と器体２１の背面との間に配線モジュール本体２の前壁が挟まれて、器体２１の前方方向への移動が規制されるとともに、各栓刃２５ａ，２５ｂがそれぞれ配線モジュール本体２内部に配置された導電体５ａ，５ｂに電気的に接続され、電力の受電および情報信号の授受が行われるようになっている（図１（ｂ）参照）。
【００３０】
一方、接続モジュール２０を配線モジュール１に取り付けた状態で、摘み２４を逆方向に約９０度回転させると、栓刃２５ａ，２５ｂおよび係止片２６，２６がそれぞれ水平方向に並ぶ位置まで回転体２３が回転するので、この状態で接続モジュール２０を前方に移動させることによって、接続モジュール２０を配線モジュール１から取り外すことができる。また配線モジュール１から電源ブロック１０を取り外す際には、連結爪片１５の操作部１５ｂを押操作して、連結爪片１５の爪１５ａを配線モジュール１の被係止凹部から後退させれば、爪１５ａと被係止凹部との係止状態が解除されるので、電源ブロック１０を配線モジュール１から容易に取り外すことができる。また、接続モジュール２０から機能モジュール３０を取り外す際には、接続モジュール２０の器体２１に対して、機能モジュール３０の器体３１を図１中の左回りに回転させると、栓刃３２ａ〜３２ｄと刃受部材との接続状態が解除され、栓刃３２ａ，３２ｂが栓刃挿入口２９ａ，２９ｂの幅広部分に移動した状態で器体３１を前方に移動されると、機能モジュール３０の器体３１を接続モジュール２０の器体２１から容易に取り外すことができる。
【００３１】
次に本配線システムの概略的なシステム構成について図６を参照して説明する。電源ブロック１０は、外部から供給される商用交流電源ＡＣの交流電力を低圧電力（例えばＤＣ２４Ｖ）に変換して、配線モジュール１の導電体５ａ，５ｂに供給する電力変換部１４を備えている。
【００３２】
また、接続モジュール２０は、栓刃２５ａ，２５ｂを介して導電体５ａ，５ｂから電力を受電し、内部回路の動作電源を生成する電源部２７と、機能モジュール３０から入力される情報信号を低圧電力に重畳させて導電体５ａ，５ｂに出力する信号重畳部２８ａおよび導電体５ａ，５ｂを介して低圧電力に重畳されて送信された情報信号を分離して外部に出力する信号分離部２８ｂを具備したメディアコンバート部２８と、ＤＣモータよりなるモータ４１を駆動するモータ駆動部４３と、外部よりメディアコンバート部２８を介して入力される指令値に基づいてモータ駆動部４３の出力を制御することにより、接続モジュール２０の器体２１を目標位置まで移動させる位置制御部４４（位置制御手段）と、配線モジュール１に配設され導電体５ａ，５ｂの長手方向において磁気データの「０」と「１」が交番する磁気テープ（図示せず）から磁気データを非接触で読み取ることにより現在位置を求める位置検出部４５（位置検出手段）とを備えている。
【００３３】
ここで、本実施形態では配線モジュール１に、機能モジュール３０ａ，３０ｂがそれぞれ取着された接続モジュール２０，２０を所定の位置に取り付けてあり、機能モジュール３０ａ，３０ｂが接続モジュール２０，２０および配線モジュール１の導電体５ａ，５ｂを介して情報信号の授受を行うことにより、機能モジュール３０ａ，３０ｂを連系して動作させることができる。例えば本実施形態では機能モジュールとして照明型の機能モジュール３０ａと、人感センサ型の機能モジュール３０ｂとを用いており、機能モジュール３０ｂが人を検知して人体検知信号を機能モジュール３０ａに送信すると、機能モジュール３０ｂが機能モジュール３０ｂから送信された人体検知信号をもとにＬＥＤを一定時間点灯させることで、検知エリア内で人を検知すると照明を一定時間点灯させることができる。
【００３４】
また本実施形態では、各々の接続モジュール２０に位置制御部４４を設けており、外部の制御装置（図示せず）が、各接続モジュール２０に割り当てた識別番号をもとに、個々の接続モジュール２０を個別に認識し、各接続モジュール２０に対して目標位置を含む指令値を低圧電力に重畳させて出力すると、各接続モジュール２０では、メディアコンバート部２８を介して入力された指令値に含まれる目標位置と、位置検出部４５の検出した現在位置とを元に、モータ駆動部４３の出力を制御し、モータ４１により駆動輪２２ａを回転させて、接続モジュール２０の器体２１を所望の目標位置まで移動させることができる。したがって、外部の制御装置により、接続モジュール２０（すなわち機能モジュール３０）の位置を自由に設定することができ、所望の場所で所望の機能を実現することができる。本実施形態では、照明型の機能モジュール３０ａと人感センサ型の機能モジュール３０ｂとを用いており、機能モジュール３０ａ，３０ｂを所望の位置に移動させることで、人体の検知エリアや照明エリアを自由に設定できるという利点がある。
【００３５】
尚、外部の制御装置より、各接続モジュール２０に目標位置を含む指令値を送信する代わりに、移動量を含む指令値を送信するようにしても良い。各接続モジュール２０では、メディアコンバート部２８を介して入力された指令値に含まれる移動量に基づいて、モータ駆動部４３の出力を制御し、モータ４１により駆動輪２２ａを回転させることで、接続モジュール２０の器体２１を所定の移動量だけ移動させており、この場合も上述と同様に、接続モジュール２０（すなわち機能モジュール３０）の位置を自由に設定することができ、所望の場所で所望の機能を実現することができる。
【００３６】
また、本実施形態では接続モジュール２０に、導電体５ａ，５ｂの長手方向における自機の現在位置を検出する位置検出部４５と、位置検出部４５の検出した現在位置と目標位置とを比較し、現在位置が目標位置に一致するように指令値を移動手段に与える位置制御部４４とを設けているが、外部の制御装置に位置検出手段や位置制御手段を設けるようにしても良い。すなわち、図７に示すように外部の制御装置５０に、接続モジュール２０の初期位置からの移動量をもとに接続モジュール２０の現在位置を検出する位置検出部５１と、位置検出部５１の検出した現在位置と目標位置とを比較し、現在位置が目標位置に一致するように接続モジュール２０の器体２１を移動させるための指令値を接続モジュール２０のモータ駆動部４３に出力する位置制御部５２と、導電体５ａ，５ｂを介して供給される低圧電力に指令値を含む伝送信号を重畳させることによって接続モジュール２０との間で伝送信号の授受を行うメディアコンバータ部５３とを設けており、制御装置５０から所望の接続モジュール２０へ移動量を含む指令値を送信する。この時、接続モジュール２０のモータ駆動部４３が、メディアコンバート部２８を介して入力された指令値に含まれる移動量に基づいてモータ４１を回転させるので、接続モジュール２０の器体２１を所望の移動量だけ移動させることができる。
【００３７】
ところで、本実施形態では１台の配線モジュール１を壁面に配設しているが、図示しない連結手段を介して複数台の配線モジュール１を１列に連結しても良い。また本実施形態では配線モジュール１の長手方向が水平方向に沿うように配設しているが、長手方向が鉛直方向に沿うように配置して、接続モジュール２０を上下方向においてスライド移動させるようにしても良い。また、図８に示すように連結ブロック６０を介して４台の配線モジュール１を十字に交差するように配設しても良く、連結ブロック６０は４方に突出する突出部６１にそれぞれ配線モジュール１を連結する連結手段を備えるとともに、器体の前面には十字型の連通孔６２が形成されており、内部の電源スペースには配線モジュール１の導電体５ａ，５ｂに電気的に接続される導電体（図示せず）を有している。また、各突出部６１に配設された導電体は電気的にそれぞれ接続されており、各突出部６１に接続された配線モジュール１の導電体５ａ同士、導電体５ｂ同士はそれぞれ電気的に接続されるようになっている。而して、この連結ブロック６０に複数の配線モジュール１を連結した状態では、配線モジュール１に取り付けられた接続モジュール２０は連結ブロック６０を通ってスライド移動することができ、接続モジュール２０が左右方向、或いは、上下方向に移動可能となっている。
【００３８】
また本実施形態の配線システムでは、配線モジュール１の備える導電体５ａ，５ｂが低圧電力路および情報路を構成しており、導電体５ａ，５ｂは例えばＤＣ２４Ｖのような弱電流回路に使用される低圧電力を供給するために用いられているので、複数の導電体５ａ，５ｂを露出した状態で配設することができる。したがって、連通孔４の開口部分（すなわち接続モジュール２０が取着されていない部分）を覆うための部材が不要になるから、導電体５ａ，５ｂに取り付けられる接続モジュール２０の位置を自由に変更でき、連通孔４に沿って移動させることができるという効果がある。さらに、電源ブロック１０の器体１１は配線モジュール１の配線モジュール本体２に取着されており、電源ブロック１０の電力変換部１４が交流電力を低圧電力に変換して、配線モジュール１の導電体５ａ，５ｂに供給しているので、本システムが設置される場所には商用電源が供給される電源ラインのみ配線しておけば良く、配線にかかるコストを低減できるという効果もある。
【００３９】
また本実施形態では電力変換部１４が、交流電力を直流電力に変換するＡＣ／ＤＣ変換部で構成されており、ＡＣ／ＤＣ変換部で変換された直流電力を導電体５ａ，５ｂに供給しているが、電力変換部１４を、商用交流電源を小勢力回路（６０Ｖ以下の電圧）で使用される交流電圧に変換するＡＣ／ＡＣ変換部で構成しても良く、上述と同様に配線モジュール１の導電体５ａ，５ｂには低圧電力を供給しているので、連通孔４の開口部分（すなわち接続モジュール２０が取着されていない部分）を覆うための部材が不要になり、配線モジュール１に取り付けられる接続モジュール２０の位置を自由に変更することができる。
【００４０】
なお本実施形態では接続モジュール２０と機能モジュール３０とを別体に形成しているが、機能モジュール３０を接続モジュール２０と一体に形成し、接続モジュール２０の器体２１に機能部を設けるようにしても良い。
【００４１】
（実施形態２）
本発明の実施形態２を図９および図１０に基づいて説明する。本実施形態では、実施形態１で説明した配線システムにおいて、接続モジュール２０に、機能モジュール３０が着脱自在に取り付けられる取付部４６と、この取付部４６を接続モジュール２０のスライド方向（つまり導電体５ａ，５ｂの長手方向）と交差（本実施形態では直交）する平面内で取付部４６を揺動自在に支持する揺動軸４７とを設け、図示しない駆動手段により取付部４６を揺動軸４７を中心に揺動させるようにしている。ここに、揺動軸４７と駆動手段とで揺動手段が構成される。尚、取付部４６および揺動軸４７以外の構成は実施形態１と同様であるので、共通する構成要素には同一の符号を付して、その説明は省略する。
【００４２】
本実施形態では、接続モジュール２０の位置制御部４４が、モータ駆動部４３の出力を制御して、モータ４１を回転させることで、器体２１すなわち機能モジュール３０を配線モジュール１の長手方向においてスライド移動させるとともに、上述の駆動手段を用いて取付部４６を揺動させることで、機能モジュール３０の取付方向を配線モジュール１の長手方向と直交する平面内で揺動させているので、照明型の機能モジュール３０ａのセンサ型の機能モジュール３０ｂを使用する場合には、機能モジュール３０の取付方向を配線モジュール１の長手方向と直交する平面内で光源やセンサの向きを揺動させることで、照明エリアや検知エリアの設定をより細かく行うことができるという利点がある。尚、器体２１の前面には取付部４６との干渉を避けるために凹部２１ｃを形成してある。
【００４３】
また、本実施形態では接続モジュール２０と機能モジュール３０とを別体に形成しているが、機能モジュール３０を接続モジュール２０と一体に形成し、取付部４６に機能部を設けるようにしても良い。
【図面の簡単な説明】
【００４４】
【図１】実施形態１の配線システムに用いる配線モジュールに接続モジュールおよび機能モジュールを取り付けた状態を示し、（ａ）は要部の正面図、（ｂ）は一部破断せる側面図である。
【図２】同上に用いる配線モジュールに接続モジュールを取り付ける前の状態を示す分解斜視図である。
【図３】同上に用いる配線モジュールに接続モジュールおよび機能モジュールを取り付けた状態の外観斜視図である。
【図４】同上に用いる配線モジュールに接続モジュールおよび機能モジュールを取り付けた状態の正面図である。
【図５】同上に用いる接続モジュールに機能モジュールを取り付ける前の状態を示す説明図である。
【図６】同上の概略ブロック図である。
【図７】同上の他の例を示す概略ブロック図である。
【図８】同上の他の例を示す概略構成図である。
【図９】実施形態２の配線システムを説明する概略構成図である。
【図１０】同上の配線モジュールに接続モジュールおよび機能モジュールを取り付けた状態の一部破断せる側面図である。
【符号の説明】
【００４５】
１  配線モジュール
２  配線モジュール本体
５ａ，５ｂ  導電体
７  隔壁
２０  接続モジュール
２１  器体
２２ａ  駆動輪
２５ａ，２５ｂ  栓刃
３０  機能モジュールａ
４１  モータ
【図１】
2008251503.tif 000003
【図２】
2008251503.tif 000004
【図３】
2008251503.tif 000005
【図４】
2008251503.tif 000006
【図５】
2008251503.tif 000007
【図６】
2008251503.tif 000008
【図７】
2008251503.tif 000009
【図８】
2008251503.tif 000010
【図９】
2008251503.tif 000011
【図１０】
2008251503.tif 000012